【事件の表示】
　特許第２９４８７８７号「遊技機」の請求項１ないし３に係る特許に対する特許異議の申立てについて、次のとおり決定する。
【結　論】
　特許第２９４８７８７号の請求項１ないし３に係る特許を維持する。
【理　由】
１．本件発明
　本件特許第２９４８７８７号（平成２年８月２３日出願、平成１１年７月２日設定登録）の請求項１ないし３に係る各発明は、特許明細書の特許請求の範囲の請求項１ないし３に記載された事項により特定されるとおりのものと認められる。
２．申立ての理由の概要
　異議申立人河井清悦は、甲第１号証（実願昭６２−７９９９０号（実開昭６３−１８８０７７号）のマイクロフィルム）、甲第２号証（特開平２−１４２５８０号公報）、甲第３号証（特開昭６４−９４８９号公報）、甲第４号証（実願昭５９−１６２３３０号（実開昭６１−７７０７８号）のマイクロフィルム）、甲第５号証（特開昭６２−２８４６７７号公報）、甲第６号証（実願昭５８−１９９９５４号（実開昭６０−１０９６８３号）のマイクロフィルム）、甲第７号証（特開昭５７−６９３３６号公報）、甲第８号証（マイクロコンピュータ用語辞典　第１５０頁、著者：矢田光治、発行日：昭和５７年１２月２５日、発行所：日刊工業新聞社）、甲第９号証（特開昭５５−８５９４４号公報）、甲第１０号証（特開昭５６−４０９４７号公報）及び甲第１１号証（特開昭６４−１８８２５号公報）を引用し、請求項１ないし３に係る各発明は、甲号各証に記載された発明ないし記載事項に基いて当業者が容易に発明をすることができたものであるから特許法第２９条第２項の規定に違反して特許されたものであり、その特許は、取り消されるべきである旨主張している。
３．申立人が引用した甲号各証に記載された発明
　甲第１号証には、
「複数の図柄による特別遊技を実行可能な表示基板４を備え、所定の始動条件の成立に基づき該特別遊技を起生し、該特別遊技の停止したときの図柄の組み合わせにより大入賞口４１を開放する遊技機であって、
　前記特別遊技の起生および前記大入賞口４１の開放等に関わる遊技制御を行う制御装置１６と、前記表示基板４の表示制御を行う第２基板３と、を各々個別に分離構成するとともに、これら制御装置１６と第２基板３とを相互に電気的に接続可能に構成し、
　前記制御装置１６は、前記遊技制御を行うメインＭＣＵ１７と、ＰＲＯＭと、を有し、前記特別遊技の起生および大入賞口４１の開放等の遊技状態の変化に対して、所定の遊技状態データに基づいて遊技制御を行うとともに、該遊技状態データに関連した８ビットデータを前記第２基板３に送信するように構成し、
　前記第２基板３は、前記表示制御を行うＭＣＵ５を有し、前記制御装置１６からの前記８ビットデータに基づいて前記遊技状態に対応した所定の表示を行うように構成し、
　前記表示基板４と前記第２基板３とを一体的に構成した遊技機」を構成とする発明が、
同じく甲第２号証には、
「複数の遊技用表示データによる可変表示遊技を実行可能な可変表示部４４を備え、所定の始動条件の成立に基づき該可変表示遊技を起生し、該可変表示遊技の停止結果態様が大当たりとなったことに基づき遊技者にとって有利な特別遊技状態を起生可能なパチンコ機であって、
　前記可変表示遊技の起生および前記特別遊技状態の起生等に関わる遊技制御を行う制御装置８７を有し、
　前記制御装置８７は、前記遊技制御を行うＣＰＵ９４と、プログラムデータや前記可変表示部４４の前記複数の遊技用表示データを記憶するＲＯＭ９５と、を有し、前記可変表示遊技の起生および特別遊技状態の起生等の遊技状態の変化に対して、所定の遊技状態データに基づいて遊技制御を行うとともに、該遊技状態データに関連したディスプレイ要求をセットするように構成し、
　前記制御装置８７は、メッセージや動画等の付加表示データに関わるデータを記憶した外部フォントＲＯＭ１２０ａ、１２０ｂを有し、前記制御装置８７からの前記ディスプレイ要求に基づいて前記遊技状態に対応した所定の表示を所定のメッセージや動画等の付加表示データによる動作表示を含ませて行うように構成したパチンコ機」を構成とする発明が、
同じく甲第３号証には、
「ＣＲＴディスプレイ６５を備えた表示装置であって、
　制御装置Ｃと、前記ＣＲＴディスプレイ６５の表示制御を行う表示制御装置ＤＣと、を各々個別に分離構成するとともに、これら制御装置Ｃと表示制御装置ＤＣとを相互に電気的に接続可能に構成し、
　前記制御装置Ｃは、メインＣＰＵ１０と、各種プログラムを記憶するＲＯＭ１１と、を有し、
　前記表示制御装置ＤＣは、表示制御を行う表示用ＣＰＵ２０と、ＲＯＭ３０と、ＲＡＭ４０と、キャラクタＲＡＭ６２と、アトリビュートＲＡＭ６１と、キャラクタジェネレータ６３と、を有した表示装置」を構成とする発明が、
同じく甲第４号証には、
「液晶板１２を備え、遊技者にとって有利な特別遊技状態を起生可能な弾球遊戯機であって、
　制御回路３３と、前記液晶板１２の液晶駆動回路１６と、を各々個別に分離構成するとともに、これら制御回路３３と液晶駆動回路１６とを相互に電気的に接続可能に構成し、
　前記制御回路３３は、表示指令信号を前記液晶駆動回路１６に送信するように構成し、
　前記液晶板１２と前記液晶駆動回路１６とを所定のカセット受け２２に収納して一体的に構成した弾球遊戯機」を構成とする発明が、
同じく甲第５号証には、
「液晶パネル７を備え、遊技者にとって有利な特別遊技状態を起生可能なパチンコ遊戯装置であって、
　前記特別遊技状態の起生等に関わる遊技制御を行う制御回路１０と、前記液晶パネル７の表示制御を行う液晶駆動回路１１と、を有したパチンコ遊戯装置」を構成とする発明が、
同じく甲第６号証には、
「液晶画像パネル４１を備え、所定の始動条件の成立に基づきゲームを起生し、該ゲームの停止結果態様が特別表示態様となったことに基づき遊技者にとって有利な特別遊技状態を起生可能なパチンコ機であって、
　前記可変表示ゲームの起生および前記特別遊技状態の起生等に関わる遊技制御を行う駆動制御部１００，２００と、前記液晶画像パネル４１の表示制御を行う液晶駆動基板４３０と、を有し、
　前記液晶画像パネル４１と前記液晶駆動基板４３０とを所定のパネル保持部材４２及び押え部材４３に収納して一体的に構成したパチンコ機」を構成とする発明が、
同じく甲第７号証には、
「ＣＲＴ表示装置３１を備えた表示制御装置であって、
　キー入力されたデータをスクリーン／キー入力バッファメモリ１５に記憶するために、キー操作時、タイミングをとるためのストローブ信号を出力するように構成されている表示制御装置」を構成とする発明が、
同じく甲第８号証には、
用語としての「ストローブ」が、ある時間の信号を読取ること。つまり不要な信号と必要な信号とが時間的に直列にまざっているとき、必要な信号だけを抽出することである。たとえばデータがバス上に正しい状態にあるとき、これを取込むためアクティブにする選択信号となる点であることが、
同じく甲第９号証には、
「所定の動作サイクルタイムの間に複数の表示データを表示する表示装置２を備えた表示制御方式であって、
　前記複数の表示データを複数の転送タイミングにより順次取込み表示せしめる表示制御方式」を構成とする発明が、
同じく甲第１０号証には、
「ビデオ情報を記憶装置からＣＲＴスクリーンに転送するための論理制御システムであって、
　前記記憶装置に無作為に記憶されたビデオ情報の再構成を要することなく、表示ページに対して動的に生じる変更を行うように転送することを可能にする論理制御システム」を構成とする発明が、
同じく甲第１１号証には、
「ＣＲＴディスプレイ１５を備えた画像表示装置であって、
　制御手段６の制御下でローカルデータベース８内の原画像がイメージメモリ１２内に転送され、又、演算手段７によって当該原画像の縮小されたものがイメージメモリ１１に転送される画像表示装置」を構成とする発明が、
それぞれ記載されているものと認められる。
４．本件請求項１に係る発明と申立人が引用した甲号各証に記載された発明ないし記載事項との対比及び判断
　そこで、本件請求項１に係る発明（前者）と申立人が引用した甲第１号証に記載された発明（後者）とを対比するに、
後者の
「図柄」、「特別遊技」、「表示基板４」、「停止したときの図柄の組み合わせにより」、「大入賞口４１を開放する」、「大入賞口４１の開放」、「制御装置１６」、「第２基板３」、「メインＭＣＵ１７」、「ＰＲＯＭ」、「８ビットデータ」及び「ＭＣＵ５」
がそれぞれの機能に照らし、それぞれ
前者の
「識別情報」、「可変表示ゲーム」、「画像表示器」、「停止結果態様が特別表示態様となったことに基づき」、「遊技者にとって有利な特別遊技状態を起生可能な」、「特別遊技状態の起生」、「遊技制御基盤、遊技制御回路」、「表示制御基盤」、「遊技用マイクロコンピュータ」、「遊技制御プログラムを記憶する遊技用記憶手段」、「表示指令信号」及び「表示用マイクロコンピュータ」
に相当するものと認められるから、
両者は、
「複数の識別情報による可変表示ゲームを実行可能な画像表示器を備え、所定の始動条件の成立に基づき該可変表示ゲームを起生し、該可変表示ゲームの停止結果態様が特別表示態様となったことに基づき遊技者にとって有利な特別遊技状態を起生可能な遊技機であって、
　前記可変表示ゲームの起生および前記特別遊技状態の起生等に関わる遊技制御を行う遊技制御基盤と、前記画像表示器の表示制御を行う表示制御基盤と、を各々個別に分離構成するとともに、これら遊技制御基盤と表示制御基盤とを相互に電気的に接続可能に構成し、
　前記遊技制御基盤は、前記遊技制御を行う遊技用マイクロコンピュータと、遊技制御プログラムを記憶する遊技用記憶手段と、を有し、前記可変表示ゲームの起生および特別遊技状態の起生等の遊技状態の変化に対して、所定の遊技状態データに基づいて遊技制御を行うとともに、該遊技状態データに関連した表示指令信号を前記表示制御基盤に送信するように構成し、
　前記表示制御基盤は、前記表示制御を行う表示用マイクロコンピュータを有し、前記遊技制御回路からの前記表示指令信号に基づいて前記遊技状態に対応した所定の表示を行うように構成し、
　前記画像表示器と前記表示制御基盤とを一体的に構成した遊技機」である
点において一致し、
（１）表示制御基盤に送信される表示指令信号が、
前者は、モード情報を含み、該モード情報に基づいて、表示制御基盤が所定の表示を行う、
のに対し、
後者は、かかる構成を備えていない、
（２）表示制御基盤が、
前者は、複数の識別情報および装飾用のキャラクタ画像の各々に関わるデータを記憶した表示用記憶手段を有し、所定のキャラクタ画像による動作表示を含ませて所定の表示を行うようになっている、
のに対し、
後者は、かかる構成を明らかにしていない、
（３）画像表示器と表示制御基盤とが、
前者は、ケースに収納されている、
のに対し、
後者は、かかる構成を備えていない、
点において相違するものと認められる。
　そこで、前記相違点（１）についてみるに、
甲第２号証に記載された発明の
「遊技用表示データ」、「遊技」、「可変表示部４４」、「大当たり」、「パチンコ機」、「制御装置８７」、「ＣＰＵ９４」、「プログラムデータ」、「ＲＯＭ９５」、「ディスプレイ要求」、「メッセージや動画等の付加表示データ」及び「外部フォントＲＯＭ１２０ａ、１２０ｂ」
がそれぞれの機能に照らし、それぞれ
前者の
「識別情報」、「ゲーム」、「画像表示器」、「特別表示態様」、「遊技機」、「遊技制御基盤、遊技制御回路」、「遊技用マイクロコンピュータ」、「遊技制御プログラム」、「遊技用記憶手段」、「モード情報を含む表示指令信号、表示指令信号に含まれるモード情報」、「装飾用のキャラクタ画像」及び「表示用記憶手段」
に相当するものと認められるから、
甲第２号証に記載された発明には、
「複数の識別情報による可変表示ゲームを実行可能な画像表示器を備え、所定の始動条件の成立に基づき該可変表示ゲームを起生し、該可変表示ゲームの停止結果態様が特別表示態様となったことに基づき遊技者にとって有利な特別遊技状態を起生可能な遊技機であって、
　前記可変表示ゲームの起生および前記特別遊技状態の起生等に関わる遊技制御を行う遊技制御基盤を有し、
　前記遊技制御基盤は、前記遊技制御を行う遊技用マイクロコンピュータと、遊技制御プログラムや前記画像表示器の前記複数の識別情報を記憶する遊技用記憶手段と、を有し、前記可変表示ゲームの起生および特別遊技状態の起生等の遊技状態の変化に対して、所定の遊技状態データに基づいて遊技制御を行うとともに、該遊技状態データに関連したモード情報を含む表示指令信号をセットするように構成し、
　前記遊技制御基盤は、装飾用のキャラクタ画像に関わるデータを記憶した表示用記憶手段を有し、前記遊技制御回路からの前記表示指令信号に含まれるモード情報に基づいて前記遊技状態に対応した所定の表示を所定のキャラクタ画像による動作表示を含ませて行うように構成した遊技機」
という構成が備わっており、
これは、後者と技術分野を共通にするものであるから、これを後者に適用して前記相違点（１）の前者を構成し得るかどうかについて、先ず、検討する。
　そもそも、引用例２に記載された発明は、「表示制御基盤」を備えていないから、引用例２に記載された発明の「モード情報を含む表示指令信号」は、「表示制御基盤」に送信されるものではない。そうすると、「表示制御基盤」に送信されるものである後者の「表示指令信号」に、「表示制御基盤」に送信されるものではない引用例２に記載された発明の「モード情報を含む表示指令信号」を、「表示指令信号」という点で共通するところがあっても、直ちには適用できないというべきである。
　次に、甲第３号証ないし甲第１１号証に記載された発明ないし記載事項を子細に検討しても、前記相違点（１）の前者の構成は認められない。
　しかも、本件請求項１に係る発明は、
前記相違点（１）の前者の構成により、
「遊技制御基盤で起生された各種遊技状態に対応した表示に対して、遊技制御基盤から逐次表示の指令を出さなくても、モード情報を送信すればそのモード情報に基づいて表示制御基盤で独自に表示が行われることとなり、各種遊技状態に対応した表示を効率よく行うことができる」
という効果を奏するものと認められる。
　したがって、他の相違点を検討するまでもなく、本件請求項１に係る発明が甲号各証に記載された発明ないし記載事項に基いて当業者が容易に発明をすることができたものであるとはいえない。
５．本件請求項２に係る発明と申立人が引用した甲号各証に記載された発明ないし記載事項との対比及び判断
　そこで、本件請求項２に係る発明（前者）と申立人が引用した甲第１号証に記載された発明（後者）とを対比するに、
前記したように、前者の構成要件である、「表示制御基盤に送信される表示指令信号が、モード情報を含み、該モード情報に基づいて、表示制御基盤が所定の表示を行う」点が甲号各証に記載された発明ないし記載事項に認められず、かつ、この点により前記効果が奏されるのであるから、画像表示器を液晶表示器で構成する点が甲第４ないし６号証に記載された発明に認められるとしても、本件請求項２に係る発明が甲号各証に記載された発明ないし記載事項に基いて当業者が容易に発明をすることができたものであるということはできない。
６．本件請求項３に係る発明と申立人が引用した甲号各証に記載された発明ないし記載事項との対比及び判断
　そこで、本件請求項３に係る発明（前者）と申立人が引用した甲第１号証に記載された発明（後者）とを対比するに、
前記したように、前者の前記構成要件が甲号各証に記載された発明ないし記載事項に認められず、かつ、この点により前記効果が奏されるのであるから、信号のタイミングをとるための構成が甲第７，９ないし１１号証に認められ、甲第８号証に記載されているとしても、本件請求項３に係る発明が甲号各証に記載された発明ないし記載事項に基いて当業者が容易に発明をすることができたものであるということはできない。
７．むすび
　以上のとおりであるから、本件請求項１ないし３に係る各発明は、申立人が引用した前記甲号各証に記載された発明ないし記載事項に基いて当業者が容易に発明をすることができたものであるということはできない。
　又、他に本件請求項１ないし３に係る各発明の特許を取り消すべき理由を発見しない。
　よって、結論のとおり決定する。
【異議決定日】
平成１２年１１月１６日（２０００．１１．１６）